(57)【要約】      （修正有）【課題】作業者によるテスト操作が不要で、検電作業中も含めて常時、回路の状態の良否を確認することが可能な常時診断機能付き検電器を提供する。【解決手段】被検電路Ｅに接続される検知子１と、検知子１への印加電圧を検出して検出信号を出力する検出回路３と、検出回路３からの検出信号が入力される判定回路４と、検出回路３に対しテスト用信号を入力するテスト回路７とを備え、検出回路３は、被検電路Ｅから検知子１への印加電圧とテスト信号とが重畳された入力信号に応じた検出信号を出力し、判定回路４は、検出信号を被検電路Ｅからの印加電圧の成分とテスト信号の成分とに分離して検出回路３への入力信号における印加電圧の有無及びテスト信号の有無をそれぞれ判定する。【選択図】図１
2019152632.tif 000002
【特許請求の範囲】
【請求項１】
被検電路に接続される検知子と、
上記検知子に接続され上記検知子への印加電圧を検出して検出信号を出力する検出回路と、
上記検出回路からの検出信号が入力される判定回路と、
上記検出回路に対し、テスト用信号を入力するテスト回路と、を備え、
上記検出回路は、上記被検電路から上記検知子への印加電圧と、上記テスト信号とが重畳された信号が入力され、この入力信号に応じた検出信号を出力し、
上記判定回路は、上記検出信号を、上記被検電路からの印加電圧の成分と、上記テスト信号の成分とに分離して、上記検出回路への入力信号における上記印加電圧の有無及び上記テスト信号の有無をそれぞれ判定することを特徴とする常時診断機能付き検電器。
【請求項２】
前記テスト用信号は、上記判定回路にも入力されており、
上記判定回路は、入力された上記テスト信号を用いて、上記検出信号を、上記印加電圧の成分と、上記テスト信号の成分とに分離することを特徴とする請求項１記載の常時診断機能付き検電器。
【請求項３】
前記テスト用信号は、上記被検電路からの印加電圧とは異なる周波数の信号であり、
上記判定回路は、周波数分離により、上記検出信号を、上記印加電圧の成分と、上記テスト信号の成分とに分離することを特徴とする請求項１又は２記載の何れかの常時診断機能付き検電器。
【請求項４】
前記テスト用信号は、上記検知子を介して、上記検出回路に入力されることを特徴とする請求項１乃至３記載の何れかの常時診断機能付き検電器。
【発明の詳細な説明】
【技術分野】
【０００１】
本発明は、電路の課電の有無を確認するために使用される検電器に関し、特に、回路の状態の良否を常時確認することが可能な常時診断機能付き検電器に関するものである。
【背景技術】
【０００２】
従来、図３に示すような回路構成を有し、被検電路Ｅについて課電の有無を確認する検電器が提案されている。すなわち、この検電器は、測定時（課電確認時）に上記被検電路Ｅに接続される検知子１０１を有している。この検知子１０１には、入力回路１０２を介して、検出回路１０３が接続されている。また、この検出回路１０３には、判定回路１０４が接続され、判定回路１０４には、検電表示部１０５が接続されている。
【０００３】
また、検知子１０１には、テストスイッチ１０６を介して、テスト回路１０７が接続されている。なお、上記テストスイッチ１０６及びテスト回路１０７が、図４に示すように、上記入力回路１０２に接続されている検電器もある。
【０００４】
上記検出回路１０３、上記判定回路１０４及び上記検電表示部１０５は、直流電源が供給されて動作するものであり、上記検知子１０１が上記被検電路Ｅに接続されると、上記検出回路１０３が電位を測定して、この測定結果に基づいて上記判定回路１０４が該被検電路Ｅの課電の有無を判定する。そして、上記検電表示部１０５では、上記判定回路１０４の判定結果が表示される。
【先行技術文献】
【特許文献】
【０００５】
【特許文献１】特開平１０−１６０７６６号公報
【発明の概要】
【発明が解決しようとする課題】
【０００６】
ところで、上述のような構成に係る検電器においては、上記被検電路Ｅの課電確認（検電）を行う場合、上記検知子１０１を上記被検電路Ｅに対して、事前に接続させない状態で、この検電器が正常に動作することを、上記テストスイッチ１０６の操作・投入によりチェックすることとしている。このため、このテストスイッチ１０６が投入されると、上記テスト回路１０７が出力するテスト信号が検知子１０１又は入力回路１０２に供給される。
【０００７】
したがって、この検電器においては、上記テストスイッチ１０６を投入することにより、上記直流電源が正常であるか否か、及び上記入力回路１０２から上記判定回路１０４の動作が正常であるか否かが確認（チェック）される。
【０００８】
しかしながら、こうした構成に係る従来の検電器では、テスト操作中は検電器の状態の良否が確認できるが、検電作業中には検電器の状態の良否が確認できない。また、上述したテスト操作は、上記テストスイッチ１０６を操作する必要があることから、作業者がテスト操作を忘れる恐れがある。
【０００９】
したがって、このような検電器では、検電器が故障していて、かつ、テスト操作を忘れた場合や、検電作業前にテスト操作はされたが、検電作業中に電池（直流電源）が消耗して動作しない状態になったり、検電作業中に検電器が故障したりした場合には、作業者は検電器に異常があることに気付かない恐れがある。
【００１０】
そこで、本発明は、上述した従来の検電器が有する課題を解決するために提案されたものであって、作業者によるテスト操作が不要であって、検電作業中も含めて常時、回路の状態の良否を確認することが可能な常時診断機能付き検電器を提供することを目的とするものである。
【課題を解決するための手段】
【００１１】
本発明は、上記目的を達成するために提案されたものであって、第１の発明（請求項１記載の発明）は、被検電路に接続される検知子と、上記検知子に接続され上記検知子への印加電圧を検出して検出信号を出力する検出回路と、上記検出回路からの検出信号が入力される判定回路と、上記検出回路に対しテスト用信号を入力するテスト回路とを備え、上記検出回路は、上記被検電路から上記検知子への印加電圧と上記テスト信号とが重畳された信号が入力され、この入力信号に応じた検出信号を出力し、上記判定回路は、上記検出信号を上記被検電路からの印加電圧の成分と上記テスト信号の成分とに分離して上記検出回路への入力信号における上記印加電圧の有無及び上記テスト信号の有無をそれぞれ判定することを特徴とするものである。
【００１２】
この検電器においては、検電作業中も含めて常時、上記検出回路の動作が正常であるか否か、及び、上記検出回路から上記判定回路間の動作及び接続状態に異常がないことを確認（チェック）することができ、検電器の良否と検電結果とが同時に表示される。従来の検電器のようなテスト操作は不要であり、テスト操作を忘れる恐れもない。
【００１３】
また第２の発明（請求項２記載の発明）は、上記第１の発明において、前記テスト用信号は、上記判定回路にも入力されており、上記判定回路は、入力された上記テスト信号を用いて、上記検出信号を上記印加電圧の成分と上記テスト信号の成分とに分離することを特徴とするものである。
【００１４】
この検電器においては、上記判定回路は、入力された上記テスト信号を用いて、上記検出信号を上記印加電圧の成分と上記テスト信号の成分とに分離するので、簡単な回路によって上記印加電圧の成分を取り出すことができる。
【００１５】
第３の発明（請求項３記載の発明）は、上記第１又は第２の発明の何れかにおいて、前記テスト用信号は、上記被検電路からの印加電圧とは異なる周波数の信号であり、上記判定回路は、周波数分離により、上記検出信号を上記印加電圧の成分と上記テスト信号の成分とに分離することを特徴とするものである。
【００１６】
この検電器においては、上記判定回路は、周波数分離により、前記検出信号を上記印加電圧の成分と上記テスト信号の成分とに分離するので、これら信号成分の分離を確実に行うことができる。
【００１７】
第４の発明（請求項４記載の発明）は、上記第１、第２又は第３の発明の何れかの検電器において、前記テスト用信号は、上記検知子を介して、上記検出回路に入力されることを特徴とするものである。
【００１８】
この検電器においては、上記テスト用信号が上記検知子を介して上記検出回路に入力されるので、上記検知子まで含む接続状態に異常がないことを確認（チェック）することができる。
【発明の効果】
【００１９】
後述する本発明の実施の形態の説明からも明らかなように、本発明に係る常時診断機能付き検電器によれば、検出回路は、被検電路から検知子への印加電圧とテスト信号とが重畳された信号が入力され、この入力信号に応じた検出信号を出力し、判定回路は、上記検出信号を上記被検電路からの印加電圧の成分と上記テスト信号の成分とに分離して上記検出回路への入力信号における上記印加電圧の有無及び上記テスト信号の有無をそれぞれ判定することとしている。
【００２０】
したがって、この常時診断機能付き検電器においては、作業者がテスト操作を行わなくとも、被検電路から検知子への印加電圧の有無の判定と、テスト信号の有無の判定とを同時に常時実施することができる。
【００２１】
すなわち、本発明は、作業者によるテスト操作が不要であって、検電作業中も含めて常時、回路の状態の良否を確認することが可能な常時診断機能付き検電器を提供することができる。換言すれば、この発明に係る常時診断機能付き検電器によれば、故障している場合、また、テスト操作を忘れた場合、検電作業前にテスト操作はされたが、検電作業中に電池（直流電源）が消耗して動作しない状態になった場合、さらには検電作業中に検電器が故障したりした場合であっても、作業者に対して、該検電器に異常があることを必ず気付かせることができる。
【図面の簡単な説明】
【００２２】
【図１】本発明に係る検電器の構成を示すブロック回路図である。
【図２】本発明に係る検電器の構成の他の例を示すブロック回路図である。
【図３】従来の検電器の構成を示すブロック回路図である。
【図４】従来の検電器の構成の他の例を示すブロック回路図である。
【発明を実施するための形態】
【００２３】
以下、本発明の実施の形態に係る常時診断機能付き検電器について、図面を参照しながら詳細に説明する。
【００２４】
本発明に係る常時診断機能付き検電器（以下、検電器と言う。）は、図１に示すように、測定時（課電確認時）に被検電路Ｅに接続される検知子１を有している。この検知子１には、入力回路２を介して、検出回路３が接続されている。検出回路３は、上記検知子１への印加電圧を検出して、検出信号を出力する。検出回路３には、判定回路４が接続されている。判定回路４には、上記検出回路３からの検出信号が入力される。判定回路４には、検電表示部５及びテスト結果表示部６が接続されている。
【００２５】
また、検知子１には、テスト回路７が接続されている。テスト回路７は、上記検知子１を介して、上記検出回路３に対しテスト用信号を入力する。このように上記テスト用信号を、上記検知子１を介して上記検出回路３に入力することにより、上記検知子１まで含む接続状態に異常がないことを確認（チェック）することができる。なお、上記テスト回路７は、図２に示すように、上記入力回路２に接続してもよい。
【００２６】
上記検出回路３、上記判定回路４、上記検電表示部５、テスト結果表示部６及びテスト回路７は、電池８から直流電源を供給されて動作する。各回路部及び各部へは、電源スイッチ９を介して、直流電源が供給される。
【００２７】
そして、上記電源スイッチ９が投入された状態では、上記検出回路３には、上記テスト信号が入力されている。そして、上記検知子１が上記被検電路Ｅに接続されると、上記検出回路３には、上記被検電路Ｅから上記検知子１への印加電圧と、上記テスト信号とが重畳された信号が入力される。検出回路３は、入力信号の電位を測定し、この測定結果に基づいて、入力信号に応じた検出信号を出力し、上記判定回路４に入力する。上記判定回路４は、上記検出信号を上記被検電路Ｅからの印加電圧（課電）の成分と、上記テスト信号の成分とに分離して、上記検出回路３への入力信号における上記印加電圧の有無（課電の有無）及び上記テスト信号の有無をそれぞれ判定する。
【００２８】
上記検知子１が上記被検電路Ｅに接続されていない場合、及び、上記検知子１が上記被検電路Ｅに接続され該被検電路Ｅに電圧（課電）がない場合には、上記印加電圧（課電）が無いと判定される。上記テスト回路７が上記テスト信号を出力していない場合、及び、上記判定回路４までの接続に故障があって上記テスト信号が上記判定回路４に入力されていない場合には、上記テスト信号が無いと判定される。
【００２９】
上記検電表示部５は、上記判定回路４の上記印加電圧の有無（課電の有無）の判定結果を表示する。上記テスト結果表示部６は、上記判定回路４の上記テスト信号の有無の判定結果を表示する。
【００３０】
上記テスト信号が無いと判定された場合には、検電器に何らかの異常（故障）がある場合であるから、上記印加電圧（課電）の有無の判定は信用できない。この場合には、上記印加電圧（課電）が無いと判定されても、実際には有るかもしれない。上記テスト信号が有ると判定された場合には、検電器に異常（故障）がない場合であるから、上記印加電圧（課電）の有無の判定は信用できる。
【００３１】
上記判定回路４における上記検出信号の分離は、上記テスト信号の周波数及び電位が既知であれば、これら周波数及び電位の情報に基づいて、上記検出信号から上記テスト信号の周波数成分を弁別するようにすればよい。周波数成分の弁別は、バンドパスフィルタによって行うことができる。この場合において、テスト信号の周波数は、上記被検電路Ｅからの印加電圧（課電）の周波数（例えば、商用電源の周波数５０／６０Ｈｚ）とは異なる必要がある。このように上記検出信号の分離を周波数分離により行うことで、確実な分離を行うことができる。
【００３２】
上記テスト用信号を上記判定回路４にも入力し、上記判定回路４は、入力された上記テスト信号を用いて、上記検出信号の分離を行うようにしてもよい。判定回路４は、上記検知子１が上記被検電路Ｅに接続されていない状態においては、直接入力された上記テスト信号を上記検出信号から差し引いて０になれば、上記検出信号中に上記テスト信号が有ると判定することができる。すなわち、上記検出信号中のテスト信号と、判定回路４に直接入力された上記テスト信号とを比較し、これらの位相及び電圧値が一致していれば、上記検出回路３への入力信号に上記テスト信号が含まれていると判定できる。そして、上記検知子１が上記被検電路Ｅに接続された状態においては、判定回路４は、直接入力された上記テスト信号を上記検出信号から差し引くことにより、上記印加電圧の有無（課電の有無）を示す信号成分を取り出すことができる。このように上記検出信号の分離を入力された上記テスト信号を用いて行うことで、簡単な回路によって上記印加電圧の成分を取り出すことができる。
【００３３】
なお、このように上記テスト用信号を上記判定回路４にも入力する場合にも、上記テスト用信号を上記被検電路Ｅからの印加電圧とは異なる周波数の信号としておいて、上記判定回路４は、周波数分離により、上記検出信号を上記印加電圧の成分と上記テスト信号の成分とに分離するようにしてもよい。この場合には、上記判定回路４は、上記テスト用信号の周波数として、既知の値ではなく、直接入力されたテスト信号の周波数を測定した値を用いることができる。
【００３４】
この検電器においては、電源スイッチ９さえ投入しておけば、検電作業中も含めて常時、上記直流電源の供給状態が正常であるか否か、及び、上記検出回路３の動作が正常であるか否か、さらには、上記検知子１から判定回路４間の動作及び接続状態に異常がないことを確認（チェック）することができ、検電器の良否と検電結果とが同時に表示される。従来の検電器のようなテスト操作は不要であるから、テスト操作を忘れる恐れもない。
【符号の説明】
【００３５】
１  検知子
２  入力回路
３  検出回路
４  判定回路
５  検電表示部
６  テスト結果表示部
７  テスト回路
８  電池
９  電源スイッチ
【図１】
2019152632.tif 000003
【図２】
2019152632.tif 000004
【図３】
2019152632.tif 000005
【図４】
2019152632.tif 000006